(57)【要約】【課題】二重床の低床化を図ることができ、コスト的にも優れた低床用根太ユニット及び二重床構造を提供する。【解決手段】長尺状の根太材１４を高さ調整可能に支持する支持ボルト１２が、根太材１４の長さ方向に間隔をおいて複数設けられるとともに、根太材１４に、支持ボルト１２の下端部に設けられる接床台座１１に根太材１４を接近させたときに根太材１４の少なくとも一部を収納可能な凹部１７が形成され、凹部１７の両側には板状の補強部１６が設けられている。【選択図】      図１
2014211055.tif 000002
【特許請求の範囲】
【請求項１】
長尺状の根太材を高さ調整可能に支持する支持ボルトが、前記根太材の長さ方向に間隔をおいて複数設けられるとともに、前記根太材に、前記支持ボルトの下端部に設けられる接床台座に前記根太材を接近させたときに該根太材の少なくとも一部を収納可能な凹部が形成され、前記凹部の両側には板状の補強部が設けられていることを特徴とする低床用根太ユニット。
【請求項２】
前記根太材の両側にこの根太材と略同じ長さでかつ高さが根太材の厚さと同じか又は根太材の厚さ以下の薄板部材が固着され、この薄板部材により前記補強部が構成されていることを特徴とする請求項１記載の低床用根太ユニット。
【請求項３】
前記凹部にナット部材が設けられ、このナット部材は、前記支持ボルトの上端部を螺合可能な雌ねじ部を有する筒状部と、前記凹部の下面に当接するフランジ部とが一体に形成されていることを特徴とする請求項１又は２記載の低床用根太ユニット。
【請求項４】
前記ナット部材の前記フランジ部に前記根太材にくい込み可能な爪部が形成され、この爪部を介して前記ナット部材が前記根太材に固着されていることを特徴とする請求項３記載の低床用根太ユニット。
【請求項５】
前記ナット部材の前記フランジ部の両側に、直角に屈曲した折返し部が形成され、この折返し部により前記補強部が構成されていることを特徴とする請求項３記載の低床用根太ユニット。
【請求項６】
ナット部材のフランジ部の両端に、縦板部を介して前記フランジ部よりも低い位置に根太支持部が屈曲形成され、この根太支持部が前記根太材の底面に固定されていることを特徴とする請求項３から５のいずれか一項記載の低床用根太ユニット。
【請求項７】
請求項１から６のいずれか一項記載の前記低床用根太ユニットにおける前記根太材が部屋の内周縁に沿って設けられ、部屋の中央部領域には高さ調整可能な複数の支持脚が設けられ、これら根太材及び支持脚の上に下地パネルが敷設され、該下地パネルの上に床パネルが敷設されていることを特徴とすることを特徴とする二重床構造。
【発明の詳細な説明】
【技術分野】
【０００１】
本発明は、コンクリートスラブ等の基礎床上に形成される二重床構造の施工において使用される低床用根太ユニット及び二重床構造に関する。
【背景技術】
【０００２】
近年、集合住宅やオフィスビルなどの多くの建造物に二重床構造のものが採用されてきており、コンクリートスラブ等の基礎床と床パネルとの間に空間部を形成して、遮音性を高めるとともに、その空間部に設備配管等を設けることができるようになっている。
【０００３】
この種の二重床として、例えば、特許文献１や特許文献２に記載の支持脚を利用した構造のものが知られている。これらの二重床は、基礎床上に支持脚を並べて、その上に床パネルを配置することにより、これら基礎床と床パネルとの間に空間部を形成したものである。支持脚は、ゴム等からなる接床台座にアジャスターボルトが垂直に立設され、このアジャスターボルトの上端部に四角形小片状の床パネル受けが螺合した構造とされる。
【０００４】
この二重床構造では、例えば、コンクリートスラブ上に並べて配置した支持脚の床パネル受けの上に、パーティクルボードからなる下地パネルが、支持脚のアジャスターボルトの頭部を避けるように１０〜１５ｍｍ程度の隙間をあけて敷設される。この場合、隣り合う下地パネルの間に臨ませられた支持脚のアジャスターボルトの上面には回動操作用の工具挿入溝が形成され、下地パネルの上方から差し込んだ工具でアジャスターボルトを回転操作して下地パネルの高さ調節が可能になっている。
下地パネルの上には仕上げパネルが張られ、これらにより床パネルが構成される。この種の二重床構造は、施工の簡便さとコスト面から多くの多層階建造物で利用される。
【先行技術文献】
【特許文献】
【０００５】
【特許文献１】特開平５−３２１４４３号公報
【特許文献２】特開平７−２０７８９４号公報
【発明の概要】
【発明が解決しようとする課題】
【０００６】
ところで、集合住宅等においては、広い室内空間を確保するため、床下空間を狭くして床面を低くした低床の二重床構造が望まれている。
しかしながら、特許文献１や特許文献２に示される二重床構造の場合、床パネルを支える床パネル受けにアジャスターボルトが設けられ、このアジャスターボルトを介して床パネル受けの下方位置に接床台座が配置されることになる。このため、床パネル受けの厚みと接床台座の厚みとの合計の厚みよりも、根太の施工高さを低くすることができなかった。
【０００７】
本発明は、このような事情に鑑みてなされたもので、二重床の低床化を図ることができ、コスト的にも優れた低床用根太ユニット及び二重床構造を提供することを目的とする。
【課題を解決するための手段】
【０００８】
本発明の低床用根太ユニットは、長尺状の根太材を高さ調整可能に支持する支持ボルトが、前記根太材の長さ方向に間隔をおいて複数設けられるとともに、前記根太材に、前記支持ボルトの下端部に設けられる接床台座に前記根太材を接近させたときに該根太材の少なくとも一部を収納可能な凹部が形成され、前記凹部の両側には板状の補強部が設けられていることを特徴とする。
【０００９】
二重床構造を設ける際に根太材の凹部に支持ボルトを配置することで、凹部に接床台座の少なくとも一部を収納して、根太材の厚みと接床台座の厚みとの合計の厚みよりも施工高さを低くし、二重床構造の低床化を図ることができる。
また、凹部の両側に設けた板状の補強部により根太材の凹部を形成した部位を補強しているため、この凹部形成部位の剛性を確保できる。
【００１０】
本発明の低床用根太ユニットにおいて、前記根太材の両側にこの根太材と略同じ長さでかつ高さが根太材の厚さと同じか又は根太材の厚さ以下の薄板部材が固着され、この薄板部材により前記補強部が構成されているとよい。
根太材と同材料で薄板部材を形成でき、この根太材と略同じ長さの薄板部材を根太材に貼り合わせることで、簡単に凹部付近の剛性を向上した根太材を構築することができる。薄板部材の高さを根太材の厚さと同じか小さくしたことで、これらの固着後に薄板部材が根太材の上下方向にはみ出すことがないため二重床構造の低床化に寄与すると共に軽量化を図ることができる。
この場合、補強部の下端を根太材の下面よりも高い位置に配置すると、根太材を基礎床に接近させたときに、補強部の下端と基礎床との間に隙間を設けることができ、この隙間から接床台座を接着剤で基礎床に固定する作業を容易にすることができる。
【００１１】
また、本発明の低床用根太ユニットにおいて、前記凹部にナット部材が設けられ、このナット部材は、前記支持ボルトの上端部を螺合可能な雌ねじ部を有する筒状部と、前記凹部の下面に当接するフランジ部とが一体に形成されているとよい。
ナット部材のフランジ部を凹部の下面に当接させるので、凹部の強度をさらに向上することができ、二重床としての剛性を高めることができる。
【００１２】
本発明の低床用根太ユニットにおいて、前記ナット部材の前記フランジ部に前記根太材にくい込み可能な爪部が形成され、この爪部を介して前記ナット部材が前記根太材に固着されていてもよい。
ナット部材の装着時には、このナット部材を凹部にはめ込むようにすれば、爪部が根太材に食い込んで抜け止めした状態で強固に一体化され、その取り付けを容易にすることができる。また、ナット部材の固定のためのビス等が不要であり、ナット部材も小型にすることができ、材料を節約して低コスト化を図ることができる。
【００１３】
さらに、本発明の低床用根太ユニットにおいて、前記ナット部材の前記フランジ部の両側に、直角に屈曲した折返し部が形成され、この折返し部により前記補強部が構成されていてもよい。
折返し部による補強部が凹部の両側に沿って形成され、根太材の長さ方向の折れ曲がりに対する強度が向上し、より剛性を高めることができる。
【００１４】
本発明の低床用根太ユニットにおいて、ナット部材のフランジ部の両端に、縦板部を介して前記フランジ部よりも低い位置に根太支持部が屈曲形成され、この根太支持部が前記根太材の底面に固定されていてもよい。
根太支持部により根太材を支持する構成としたので、根太材の剛性をより高めることができ、低床用根太ユニットを安定化させた状態で基礎床上に自立させることができ、根太施工時における作業性を向上できる。
【００１５】
本発明の二重床構造は、前記低床用根太ユニットにおける前記根太材が部屋の内周縁に沿って設けられ、部屋の中央部領域には高さ調整可能な複数の支持脚が設けられ、これら根太材及び支持脚の上に下地パネルが敷設され、該下地パネルの上に床パネルが敷設されていることを特徴とする。
【発明の効果】
【００１６】
本発明の低床用根太ユニットによれば、根太材の凹部に支持ボルトを配置したので、根太材を基礎床に接近させたときに接床台座の一部を凹部に収納することができ、二重床の低床化を図ることができる。また、根太材に凹部を形成した簡単な構成であるので、コストも低減することができる。
【図面の簡単な説明】
【００１７】
【図１】本発明の第１実施形態の低床用根太ユニットを用いた二重床構造を示す断面図である。
【図２】図１の低床用根太ユニットの分解斜視図である。
【図３】図２の根太材を分解した斜視図である。
【図４】根太材を支持する支持ボルト、ナット部材等の分解斜視図である。
【図５】図１に用いられる支持脚の断面図である。
【図６】図５における支持プレートの平面図である。
【図７】下地パネルを敷設した状態の平面図である。
【図８】本発明の第２実施形態における部分断面図である。
【図９】図８のナット部材の斜視図である。
【図１０】本発明の第３実施形態の低床用根太ユニットの斜視図である。
【図１１】図１０の根太ユニットに用いられているナット部材の斜視図である。
【図１２】図１１のナット部材の正面図である。
【図１３】図１１のナット部材の縦断面部分の端面図である。
【発明を実施するための形態】
【００１８】
以下、本発明の二重床構造の実施形態を図面を参照しながら説明する。
図１〜図７に示す第１実施形態において、二重床構造の下部は、コンクリートスラブ等からなる基礎床１により構成され、この基礎床１上には、部屋の内周縁に配置される複数の低床用根太ユニット２と、部屋の中央部領域に配置される複数の支持脚３とが設けられており、これら低床用根太ユニット２及び支持脚３の上に下地パネル４が敷設され、この下地パネル４の上に床仕上げパネル５が敷設されている。
【００１９】
低床用根太ユニット２は、図２から図４に示すように、基礎床１上に配設される接床台座１１と、接床台座１１に下端部が回転自在に支持された上下方向に沿う支持ボルト１２と、この支持ボルト１２の上端部に螺合するナット部材１３と、このナット部材１３を埋設状態に保持して支持ボルト１２の回転動作に伴って上下移動する長尺な根太材１４とから構成されている。
【００２０】
根太材１４は、例えばＬＶＬ（Ｌａｍｉｎａｔｅｄ  Ｖｅｎｅｅｒ  Ｌｕｍｂｅｒ：単板積層材）により、長さ１２００ｍｍ、幅５３ｍｍ、高さ２０ｍｍの断面略四角形状に設けられている。
また、この根太材１４は、図２及び図３に示すように、その幅方向中央部に配置される中央部材１５と、その両側に配置される側板部材１６との３層からなるサンドイッチ構造とされている。この側板部材１６は、中央部材１５と同じ長さでかつ高さが根太材１４の高さと同じに形成されており、本実施形態では、中央部材１５が幅３５ｍｍ、側板部材１６が幅９ｍｍとされ、高さは、中央部材１５及び側板部材１６ともに２０ｍｍに設定されている。
【００２１】
そして、中央部材１５の下面には、その長さ方向に所定間隔をおいて複数の凹部１７が形成されている。これら凹部１７は、中央部材１５の厚さの半分程度の深さで、中央部材１５を幅方向に横断する大きさ（例えば、幅３５ｍｍ、長さ３５ｍｍ、深さ１０ｍｍ）に形成されている。この凹部１７は中央部材１５のみに設けられおり、側板部材１６には設けられていない。このため、側板部材１６が凹部１７の両側方に配置されることになり、凹部１７により切り欠かれた状態となる中央部材１５の両側方を補強している。したがって、凹部１７は、その四方が囲まれた状態となり、根太材１４に座ぐり加工されたように形成される。本発明の補強部は、この実施形態では側板部材１６により構成される。
そして、これら凹部１７に支持ボルト１２の上端部を螺合するナット部材１３がそれぞれ設けられている。
【００２２】
接床台座１１は防振ゴムからなり、床仕上げパネル５や下地パネル４からの衝撃を減衰させて基礎床１への伝達を防止し、遮音性や衝撃緩和性が高められている。これら接床台座１１は支持ボルト１２の下端部を回転自在に支持している。
ナット部材１３は、金属製で、根太材１４の各凹部１７に１個ずつ設けられており、図４に示すように、雌ねじ部１８を有する筒状部１９の下端部にフランジ部２０が一体に形成されている。根太材１４には、その長さ方向に間隔をおいて複数の貫通孔２１が上下方向に沿って形成されており、その貫通孔２１にナット部材１３の筒状部１９が下方から嵌合状態に取り付けられている。
【００２３】
また、支持ボルト１２の上面には、工具挿入溝（例えばプラスドライバ挿入溝）１２ａが形成されている。この工具挿入溝１２ａを介して工具で支持ボルト１２を回転させることにより、この支持ボルト１２に対して根太材１４を上下動させることができる。
前述した凹部１７は、その平面形状（横断面形状）は接床台座１１の横断面形状より大きく、深さは、根太材１４を下降したときに、接床台座１１の少なくとも一部を収納可能な大きさに設けられる。
【００２４】
一方、部屋の中央部領域に配置される支持脚３は、図５及び図６に示すように、基礎床１上に配設される接床台座３１と、接床台座３１に回転自在に支持された上下方向に沿う支持ボルト３２と、この支持ボルト３２の上端部に螺合して支持ボルト３２の回転動作に伴って上下移動する支持プレート３３とから構成されている。
この支持脚３に設けられる接床台座３１及び支持ボルト３２は、低床用根太ユニット２の接床台座１１及び支持ボルト１２とほぼ同様の仕様のものが用いられるが、接床台座３１は床からの振動を吸収し易くするために、根太ユニット２の接床台座１１よりも硬度の小さいものが選択される。
【００２５】
支持プレート３３は、金属板やプラスチック板等で形成される。本実施形態においては、例えば、板厚２〜３ｍｍの矩形状の金属板で形成されており、この支持プレート３３の中央部分には、平面視円形となるようにカップ状の凸部３４がプレス加工により突設され、凸部３４の裏面側に同時に形成される凹部３５に接床台座３１の一部が収納可能なように、接床台座３１の外径と比べて十分大きい内径の凹部３５が形成されている。
【００２６】
凸部３４の高さは、下地パネル４の厚みよりも低く形成されている。下地パネル４の厚さと凸部３４の高さが同じ場合、支持プレート３３を下方に移動したときに支持ボルト３２の頭部が下地パネル４の上面よりも上方に突出して、床仕上げパネル１３と干渉してしまうため、支持プレート３３の上下位置を調整しても、支持ボルト３２の頭部が下地パネル４の上面から突出しない寸法関係に設定するのがよい。この場合、支持プレート３３の凸部３４の高さは、下地パネル４の厚さの１／３〜２／３に設定されているとよく、下地パネル４の厚さと凸部３４との差分が、下地パネル４の高さの調整代となる。より好ましくは、凸部３４の高さは下地パネル４の厚さの１／２程度とするのがよい。本実施形態では、下地パネル４の厚さ２０ｍｍに対して凸部３４の高さはその半分の１０ｍｍとされている。
また、凸部３４の中心部には筒状部３６が下方に折り曲げたバーリング加工によって形成され、この筒状部３６の内周面に支持ボルト３２を螺合する雌ねじ部３７が形成されている。そして、凸部３４の上端面には、雌ねじ部３７を囲むように接着剤３８を溜めることができる接着剤溜め３９が周縁部を残して一回り小さい凹状に形成されている。
【００２７】
支持プレート３３の凹部３４の下端外縁に設けられたフランジ部４０は、下地パネル４を下方から支持するとともに、セルフタッピングスクリュ４１を電動ドライバー等の工具で下地パネル４の上面側から打ち込むことにより下地パネル４を固定することができるようになっている。
このフランジ部４０の上面には、セルフタッピングスクリュ４１を打ち込む際、セルフタッピングスクリュ４１の食い付きを安定させるために、多数の格子状の凹条溝や孔が形成されている。本実施形態の支持プレート３３においては、図６に示すように、フランジ部４０に多数の孔４２を形成している。
また、このフランジ部４０は、裏面側に突出して形成された４つのリブ４０ａにより補強されている。そして、フランジ部４０の上面には下地パネル４の仮止め用の両面テープ及び剥離紙（図示略）が設けられる。
【００２８】
下地パネル４は、廃材等から得られる木片チップを接着剤で固めた長方形のパーティクルボード、あるいは合板又はＯＳＢ合板（ＯＳＢ：Ｏｒｉｅｎｔｅｄ  Ｓｔｒａｎｄ  Ｂｏａｒｄ，配向性ストランドボードともいう）により構成される。このうち、ＯＳＢは、木材を薄い削片状にしてから乾燥させ、熱硬化性接着剤とともに積層し、高温のプレス処理を経て強固な板材に構成される。削片状のエレメントは、パーティクルボードに用いられるものよりも面積が大きく薄い板状をしており、木材の異方性がより多く残されている。
【００２９】
このように、ＯＳＢは、裁断サイズがパーティクルボードよりも大きくなっていることで生木本来の性質がより残され、抵抗力が強く、カビの発生も防がれる。さらに、ＯＳＢは、合板と比較した場合に面内せん断力が大きいことで強度がより大きくなり、耐久性にも優れる。また、合板やＯＳＢは、パーティクルボードよりも含水率の変化に対する寸法変化率が小さく、耐水性に優れている。
【００３０】
図７に示すように、下地パネル４は、その長辺を相互に平行にして縦に並べられるとともに、短辺間の目地５１ａが隣接する列で長辺の半分ずつの長さでずれた配置で並べられる。また、各下地パネル４は、四隅部を三角形に切欠いて切欠部を形成した形状とされ、下地パネル４の長辺の側面と、その長辺に沿って配置される二枚の下地パネル４の切欠部の側面とを支持プレート３３に設けられた凸部３４に当接させて配置することにより、一定の隙間（短辺間の目地５１ａ及び長辺間の目地５１ｂ）を設けて敷設される。
これにより、支持プレート３３の凸部３４は、下地パネル４の長辺の側面と、その長辺に沿って配置される二枚の下地パネル４の側面とがＴ字状に交わる各交差部５２（下地パネル４の長辺の側面と二枚の下地パネル４の接欠部とにより三角形状に形成される）にそれぞれ配置され、交差部５２の空間を構成する三枚の下地パネル２の側面に内接した状態となる。
【００３１】
床仕上げパネル５は、図１に示す例ではフローリングパネルとされ、その側部が相互に組み合わされた状態で下地パネル４の上に敷設される。
なお、図中、符号６は、壁７の付近に根太材１４が配置される場合に、壁７の表面に貼り付けられ、根太材１４と壁７との間隔を保つパッキンを示している。また、符号８は床面上で壁７の表面に設けられる巾木を示す。
【００３２】
以上のように構成した低床用根太ユニット２及び支持脚３を用いて二重床構造を構成する場合、図２に示すように、根太材１４の凹部１７にナット部材１３を介して支持ボルト１２を下方側から装着し、その根太ユニット２を図７に破線で示すように部屋の周縁に沿わせながら基礎床１上に複数配置する。そして、根太材１４の上から貫通孔２１に工具を差し込んで支持ボルト１２を回動操作することで、根太材１４を上下動させてその高さを調節し、各根太材１４の上面を水平状態に設ける。この根太ユニット２においては、根太材１４に凹部１７が設けられているので、根太材１４の高さを低く設定したい場合には、凹部１７内に接床台座１１の一部が収納されるまで根太材１４を下降することが可能であり、根太材１４を所望の高さに設置して、水平レベルを合わせる。
このようにして根太材１４の上面の高さ位置を揃えたら、接床台座１１の外周部に接着剤を塗布して接床台座１１を基礎床１上に固着する。
【００３３】
一方、部屋の中央部領域には、複数の支持脚３を所定間隔をおいて配置する。そして、支持プレート３３の表面の剥離紙を剥がして、両面テープを露出させ、その上に下地パネル４を載置する。
下地パネル４は、図７に示すように、その長辺を相互に平行にして縦に並べられるとともに、短辺間の目地５１ａが隣接する列で長辺の半分ずつの長さでずれた配置で並べられる。また、下地パネル４の長辺の側面と、その長辺に沿って配置される二枚の下地パネル４の切欠部の側面との交差部５２に三角形状の空所を形成して、その中に支持プレート３３の凸部３４を配置することにより、この凸部３４に下地パネル４を当接させ、各下地パネル４の間の目地５１ａ，５１ｂを一定にするよう調整する。
また、下地パネル４間に臨む支持ボルト３２の工具挿入溝３２ａに工具を係合させ、支持ボルト３２を回転させることにより、支持プレート３３を上下移動させ、下地パネル４の基礎床１からの高さを根太ユニット２の根太材１４の高さに合わせるように微調整する。この場合、予め部屋の周縁部において根太ユニット２の高さが揃えられているので、下地パネル４の上面を部屋の周縁から揃えながら水平状態に敷設するとよい。また、この支持脚３においても、支持プレート３３に凹部３４が形成されているので、その凹部３４に接床台座３１の上部を収納することにより、支持プレート３３の高さを低くすることができる。
【００３４】
下地パネル４の上面を水平状態に面一に配置したら、セルフタッピングスクリュ４１を下地パネル４の上面側から支持プレート３３に打ち込み、下地パネル４を支持脚３に固定する。また、接着剤３８を支持プレート３３から突出する支持ボルト３２の先端部分に供給し、接着剤３８を支持ボルト３２と支持プレート３３の雌ねじ部３７との係合部に注入して支持ボルト３２を固定し、下地パネル４の高さが変動しないようにする。上述したように、支持プレート３３の雌ねじ部３７の周囲には凹状の接着剤溜め３９が設けられているので、この接着剤溜め３９で接着剤３８が保持され、支持ボルト３２と支持プレート３３の雌ねじ部３７との間に接着剤３８が入り込み易くなっている。
【００３５】
最後に、下地パネル４の上に床仕上げパネル５を敷設することにより、二重床が構築される。
この二重床構造は、部屋の周縁部に配置される根太材ユニット２、及び部屋の中央部領域に配置される支持脚３ともに、凹部１７，３５内に接床台座１１，３１の上部を収納することができるので、基礎床１に対して極めて低い仕上げ床面を配置して床下空間を小さくすることができ、室内空間を大きくすることができる。
【００３６】
次に、本発明の第２実施形態の二重床構造を図８及び図９に基づいて説明する。なお、本実施形態以降において、上記実施形態と共通部分は同一符号によって表し、その説明を省略する。
第２実施形態の低床根太ユニットにおいては、根太材１４に、その凹部１７の部分を補強するように平板状のフランジ部を有するナット部材が取り付けられている。
図９にそのナット部材の例を示している。このナット部材５５は、凹部１７の縦横寸法と同じ一辺が３５ｍｍの略正方形の板状のフランジ部５６が形成され、このフランジ部５６の中央部に、バーリング加工により筒状部５７が形成され、この筒状部５７の内周に雌ねじ部５８が形成されている。また、フランジ部５６の対向する二辺には、それぞれ２本ずつ爪部５９が立設され、図８に示すように、ナット部材５５を根太材１４の凹部１７に装着したときにこの爪部５９が根太材１４に食い込んで固着されるようになっている。この板状のナット部材５５を用いた場合には、フランジ部５６が凹部１７に嵌まりこんで固定されるので、この凹部１７により薄肉になった部分が全面的に補強される。接着剤でナット部材５５を凹部１７に接着してもよい。
なお、このナット部材は、この実施形態では、例えば、厚さ２〜３ｍｍの金属板をプレス加工することにより形成されているが、金属板の他に、プラスチック板（ポリプロピレン、ナイロン等）等で形成してもよく、根太材１４より剛性の高い材料であれば使用可能である。
【００３７】
図１０〜図１３は第３実施形態を示している。この第３実施形態の低床根太ユニット６０においては、ナット部材６２が図１１〜図１３に示すように屈曲形成されている。このナット部材６２は、板状のフランジ部６３の中央部に、バーリング加工により下方に突出する筒状部６４が一体に形成されるとともに、この筒状部６４の内周面に雌ねじ部６５が形成されており、フランジ部６３の両端に、縦板部６６を介して根太材支持部６７がフランジ部６３と平行に屈曲形成され、また、フランジ部６３の両側に、下方に向けて直角に屈曲する折り返し部６８が形成されている。そして、フランジ部６３から両縦板部６６を根太材６９の空所内に嵌合することにより、根太材支持部６７を根太材６９の下面に配置して根太材１４を支持する構造である。
【００３８】
一方、このナット部材６２が取り付けられる根太材６９は、前述した３層構造ではなく、１本の部材により構成され、ナット部材６２を嵌合する空所が両側方に開放した状態とされている。その空所にナット部材６２を嵌合することにより、フランジ部６３の裏面と縦板部６６とにより形成される凹部７０に、接床台座１１の一部を収納することができるようになっており、また、折り返し部６８が凹部７０の両側方に配置され、補強部として機能する構成である。
この場合、図１０に示すように、根太材６９を基礎床に接近させた状態においても、折り返し部６８の下面と、基礎床との間に隙間が形成されるので、この隙間を介して接着剤を注入することで、接床台座１１を基礎床に接着固定することが容易になる。
また、組立時の作業性を向上させるため、根太材支持部６７の上面には、根太材１４の仮止め用の両面テープ及び剥離紙（図示略）が設けられていてもよい。図１１の符号７１は、根太材１４に固定するために両フランジ部６３に形成されたビス挿入用の穴である。
【００３９】
なお、本発明は上記実施形態に限定されるものではなく、本発明の趣旨を逸脱しない範囲において種々の変更を加えることが可能である。
前述の第１実施形態では、根太材を三層構造として、中央部材１５と別体に設けられた側板部材１６により補強部を形成したが、根太材を一体構造とし、座ぐり状に凹部を形成することで、補強部を根太材に一体に形成してもよい。
また、三層構造の根太材及び一体構造の根太材のいずれであっても、補強部の下端を根太材全体の下面と面一に配置してもよいし、図１１のナット部材のように根太材全体の下面よりも高い位置に補強部の下端を配置し、基礎床に接近させたときに補強部の下端と基礎床の上面との間に隙間が形成されるようにしてもよい。
また、下地パネルを敷設する場合、隣接する下地パネル間に隙間なく敷設することが好ましいが、釘やビスの固定に支障がない程度であれば、施工上生じ得る１〜２ｍｍ程度の隙間が形成されていてもよい。
【符号の説明】
【００４０】
１  基礎床
２  根太ユニット
３  支持脚
４  下地パネル
５  床仕上げパネル
６  パッキン
７  壁
８  巾木
１１  接床台座
１２  支持ボルト
１３  ナット部材
１４  根太材
１５  中央部材
１６  側板部材（補強部）
１７  凹部
１８  雌ねじ部
１９  筒状部
２０  フランジ部
２１  貫通孔
５５  ナット部材
５６  フランジ部
５７  筒状部
５８  雌ねじ部
５９  爪部
６０  根太ユニット
６２  ナット部材
６３  フランジ部
６４  筒状部
６５  雌ねじ部
６６  縦板部
６７  根太材支持部
６８  折り返し部（補強部）
６９  根太材
７０  凹部
【図１】
2014211055.tif 000003
【図２】
2014211055.tif 000004
【図３】
2014211055.tif 000005
【図４】
2014211055.tif 000006
【図５】
2014211055.tif 000007
【図６】
2014211055.tif 000008
【図７】
2014211055.tif 000009
【図８】
2014211055.tif 000010
【図９】
2014211055.tif 000011
【図１０】
2014211055.tif 000012
【図１１】
2014211055.tif 000013
【図１２】
2014211055.tif 000014
【図１３】
2014211055.tif 000015